(57)【要約】      （修正有）【課題】防振及び電磁遮蔽を兼ね備えた、コネクタおよびコネクタアセンブリを提供する。【解決手段】コネクタは、絶縁体１００と、絶縁体内に保持された導電端子と、絶縁体の上に嵌合された金属製遮蔽ハウジング２００と、絶縁体の後端の上に嵌合された金属製遮蔽テールカバー３００とを含む。コネクタは、金属製遮蔽ハウジング内に収容されて絶縁体の上に嵌合されたばね４００をさらに含む。ばねの２つの端部はそれぞれ、金属製遮蔽ハウジングの内壁上に形成された第１の位置決め構造および金属製遮蔽テールカバー上に形成された第２の位置決め構造に当接するように構成される。【選択図】図２
2018073820.tif 000002
【特許請求の範囲】
【請求項１】
絶縁体（１００）と、
前記絶縁体（１００）内に保持された導電端子と、
前記絶縁体（１００）の上に嵌合された金属製遮蔽ハウジング（２００）と、
前記絶縁体（１００）の後端の上に嵌合された金属製遮蔽テールカバー（３００）と、
前記金属製遮蔽ハウジング（２００）内に収容されて前記絶縁体（１００）の上に嵌合されたばね（４００）とを備え、
前記ばね（４００）の２つの端部はそれぞれ、前記金属製遮蔽ハウジング（２００）の内壁上に形成された第１の位置決め構造および前記金属製遮蔽テールカバー（３００）上に形成された第２の位置決め構造に当接するように構成されている、
コネクタ。
【請求項２】
前記第１の位置決め構造は、前記金属製遮蔽ハウジング（２００）の前記内壁上に形成された位置決め段（２１０）として設けられ、前記第２の位置決め構造は、前記金属製遮蔽テールカバー（３００）の前端面（３００ａ）または前記金属製遮蔽テールカバー（３００）の外壁上に形成された位置決め突起（１１０）として設けられている、請求項１に記載のコネクタ。
【請求項３】
前記ばね（４００）の前記２つの端部はそれぞれ、前記金属製遮蔽ハウジング（２００）および前記金属製遮蔽テールカバー（３００）に電気的に接触して、前記金属製遮蔽テールカバー（３００）を前記金属製遮蔽ハウジング（２００）に電気的に接続している、請求項２に記載のコネクタ。
【請求項４】
絶縁体（１００）と、
前記絶縁体（１００）内に保持された導電端子と、
前記絶縁体（１００）の上に嵌合された金属製遮蔽ハウジング（２００）と、
前記金属製遮蔽ハウジング（２００）内に収容されて前記絶縁体（１００）の上に嵌合されたばね（４００）とを備え、
前記ばね（４００）の２つの端部はそれぞれ、前記金属製遮蔽ハウジング（２００）の内壁上に形成された第１の位置決め構造および前記絶縁体（１００）の外壁上に形成された第２の位置決め構造に当接するように構成されている、
コネクタ。
【請求項５】
前記第１の位置決め構造は、前記金属製遮蔽ハウジング（２００）の前記内壁上に形成された位置決め段（２１０）として設けられ、前記第２の位置決め構造は、前記絶縁体（１００）の外壁上に形成された位置決め突起（１１０）として設けられ、前記ばね（４００）は、前記位置決め段と前記位置決め突起との間に位置するように適合されている、請求項４に記載のコネクタ。
【請求項６】
前記コネクタは、前記絶縁体（１００）の後端の上に嵌合された金属製遮蔽テールカバー（３００）をさらに備えている、請求項５に記載のコネクタ。
【請求項７】
前記絶縁体（１００）上の前記位置決め突起（１１０）と一致する受けノッチ（３０１）が、前記金属製遮蔽テールカバー（３００）の前端に形成され、
前記位置決め突起（１１０）は、前記金属製遮蔽テールカバー（３００）が前記絶縁体（１００）の上に嵌合された後、前記受けノッチ（３０１）内に受け取られている、請求項６に記載のコネクタ。
【請求項８】
前記金属製遮蔽テールカバー（３００）が前記絶縁体（１００）の上に嵌合された後、前記ばね（４００）の一方の端部は、前記絶縁体（１００）の前記位置決め突起（１１０）および前記金属製遮蔽テールカバー（３００）の前端面（３００ａ）に同時に当接する、請求項７に記載のコネクタ。
【請求項９】
前記ばね（４００）の前記２つの端部はそれぞれ、前記金属製遮蔽ハウジング（２００）および前記金属製遮蔽テールカバー（３００）に電気的に接触して、前記金属製遮蔽テールカバー（３００）を前記金属製遮蔽ハウジング（２００）に電気的に接続する、請求項８に記載のコネクタ。
【請求項１０】
円筒形のコネクタを備えている、請求項１から９のいずれか一項に記載のコネクタ。
【請求項１１】
前記金属製遮蔽テールカバー（３００）は、前記金属製遮蔽テールカバー（３００）内へ密封材を注入する密封材注入孔（３０２）を有するようにさらに形成されている、請求項１から３および６から９のいずれか一項に記載のコネクタ。
【請求項１２】
請求項１１に記載のコネクタと、
ワイアとを備え、前記ワイアの一方の端部は、前記金属製遮蔽テールカバー（３００）を通過し、前記導電端子に電気的に接続されている、
コネクタアセンブリ。
【請求項１３】
前記密封材注入孔（３０２）から前記金属製遮蔽テールカバー（３００）内へ注入され、前記金属製遮蔽テールカバー（３００）を前記絶縁体（１００）および前記ワイアに接合するように構成された密封材をさらに備えている、請求項１２に記載のコネクタアセンブリ。
【発明の詳細な説明】
【技術分野】
【０００１】
関連出願の相互参照
本出願は、開示全体が参照により本明細書に組み込まれている、中国国家知識産権局に２０１６年１０月２５日に出願された中国特許出願第ＣＮ２０１６２１１４８１８７．０号の利益を主張するものである。
【０００２】
本開示の実施形態は、一般に、コネクタおよびコネクタアセンブリに関し、より詳細には、防振機能を有するコネクタおよびコネクタアセンブリに関する。
【背景技術】
【０００３】
従来技術では、計器、制御機器、および電気機器内に適用される円筒形のコネクタは、概して、絶縁体と、絶縁体内に保持された導電端子と、絶縁体の上に嵌合された金属製遮蔽ハウジングとを含む。既存の金属製遮蔽ハウジングは通常、単一の金属シートを打ち抜くことによって形成され、それ自体実質上硬質であり、いかなる防振機能も有していない。したがって、金属製遮蔽ハウジングに作用する外部からの軸方向の衝撃力は、絶縁体へすぐに直接伝達され、絶縁体は通常、強度の低いプラスチックから作製されるため、これにより絶縁体の損傷が生じる可能性が高い。
【０００４】
加えて、既存の円筒形のコネクタは、円筒形のコネクタに接続されたワイアに対して有効な電磁遮蔽を提供することができず、したがって電磁遮蔽性能が不十分である。
【発明の概要】
【発明が解決しようとする課題】
【０００５】
本開示は、上記その他の問題および欠点のうちの少なくとも１つを克服または軽減するためになされたものである。
【課題を解決するための手段】
【０００６】
本開示の目的によれば、軸方向の振動に実質上耐えてコネクタの防振性能を改善することができるコネクタが提供される。
【０００７】
本開示の別の目的によれば、コネクタの電磁遮蔽性能を改善することができるコネクタが提供される。
【０００８】
本開示の一態様によれば、絶縁体と、絶縁体内に保持された導電端子と、絶縁体の上に嵌合された金属製遮蔽ハウジングと、絶縁体の後端上にスリーブ接続された金属製遮蔽テールカバーと、金属製遮蔽ハウジング内に収容されて絶縁体の上に嵌合されたばねとを備えるコネクタが提供され、ばねの２つの端部はそれぞれ、金属製遮蔽ハウジングの内壁上に形成された第１の位置決め構造および金属製遮蔽テールカバー上に形成された第２の位置決め構造に当接するように構成される。
【０００９】
本開示の例示的な実施形態によれば、第１の位置決め構造は、金属製遮蔽ハウジングの内壁上に形成された位置決め段として設けられ、第２の位置決め構造は、金属製遮蔽テールカバーの前端面または金属製遮蔽テールカバーの外壁上に形成された位置決め突起として設けられる。
【００１０】
本開示の例示的な実施形態によれば、ばねの２つの端部はそれぞれ、金属製遮蔽ハウジングおよび金属製遮蔽テールカバーに電気的に接触して、金属製遮蔽テールカバーを金属製遮蔽ハウジングに電気的に接続する。
【００１１】
本開示の別の態様によれば、絶縁体と、絶縁体内に保持された導電端子と、絶縁体の上に嵌合された金属製遮蔽ハウジングと、金属製遮蔽ハウジング内に収容されて絶縁体の上に嵌合されたばねとを備えるコネクタが提供され、ばねの２つの端部はそれぞれ、金属製遮蔽ハウジングの内壁上に形成された第１の位置決め構造および絶縁体の外壁上に形成された第２の位置決め構造に当接するように構成される。
【００１２】
本開示の例示的な実施形態によれば、第１の位置決め構造は、金属製遮蔽ハウジングの内壁上に形成された位置決め段として設けられ、第２の位置決め構造は、絶縁体の外壁上に形成された位置決め突起として設けられ、ばねは、位置決め段と位置決め突起との間に位置するように適合される。
【００１３】
本開示の例示的な実施形態によれば、コネクタは、絶縁体の後端の上に嵌合された金属製遮蔽テールカバーをさらに備える。
【００１４】
本開示の例示的な実施形態によれば、絶縁体上の位置決め突起と一致する受けノッチが、金属製遮蔽テールカバーの前端に形成され、位置決め突起は、金属製遮蔽テールカバーが絶縁体の上に嵌合された後、受けノッチ内に受け取られる。
【００１５】
本開示の例示的な実施形態によれば、金属製遮蔽テールカバーが絶縁体の上に嵌合されたとき、ばねの一方の端部は、絶縁体の位置決め突起および金属製遮蔽テールカバーの前端面に同時に当接する。
【００１６】
本開示の例示的な実施形態によれば、ばねの２つの端部はそれぞれ、金属製遮蔽ハウジングおよび金属製遮蔽テールカバーに電気的に接触して、金属製遮蔽テールカバーを金属製遮蔽ハウジングに電気的に接続する。
【００１７】
本開示の例示的な実施形態によれば、コネクタは、円筒形のコネクタを構成する。
【００１８】
本開示の例示的な実施形態によれば、金属製遮蔽テールカバーは、金属製遮蔽テールカバー内へ密封材を注入する密封材注入孔を有するようにさらに形成される。
【００１９】
本開示の別の態様によれば、上記のコネクタと、ワイアとを備えるコネクタアセンブリが提供され、ワイアの一方の端部は、金属製遮蔽テールカバーを通過し、導電端子に電気的に接続される。
【００２０】
本開示の例示的な実施形態によれば、コネクタアセンブリは、密封材注入孔から金属製遮蔽テールカバー内へ注入され、金属製遮蔽テールカバーを絶縁体およびワイアに接合するように構成された密封材をさらに含む。
【００２１】
本開示の他の目的および利点は、添付の図面を参照する以下の説明によって明らかであり、本開示に対する包括的な理解に役立つであろう。
【図面の簡単な説明】
【００２２】
【図１】本開示の例示的な実施形態によるコネクタの概略斜視図である。
【図２】金属製遮蔽テールカバーの前端面が示されている、図１に示すコネクタの軸方向断面図である。
【図３】絶縁体上の位置決め突起が示されている、図１に示すコネクタの別の軸方向断面図である。
【図４】図２および図３に示すばねの概略斜視図である。
【図５】図２および図３に示す絶縁体の概略斜視図である。
【図６】図２および図３に示す金属製遮蔽テールカバーの概略斜視図である。
【発明を実施するための形態】
【００２３】
本開示の技術的な解決策について、添付の図面と併せて、以下の実施形態を参照してさらに詳細に説明する。添付の図面を参照する本開示の実施形態の以下の説明は、本開示の発明の一般概念について説明することが意図されるものであり、本開示を限定すると解釈されるべきではない。
【００２４】
以下の詳細な説明において、説明の目的で、開示する実施形態の徹底的な理解を提供するために、多数の特有の詳細について記載する。しかし、これらの特有の詳細がなくても１つまたは複数の実施形態を実践することができることが明らかである。他の例では、図面を簡略化するために、よく知られている構造およびデバイスは概略的に示す。
【００２５】
本開示の一般概念によれば、絶縁体と、絶縁体内に保持された導電端子と、絶縁体の上に嵌合された金属製遮蔽ハウジングと、絶縁体の後端の上に嵌合された金属製遮蔽テールカバーとを備えるコネクタが提供される。コネクタは、金属製遮蔽ハウジング内に収容されて絶縁体の上に嵌合されたばねをさらに備える。ばねの２つの端部はそれぞれ、金属製遮蔽ハウジングの内壁上に形成された第１の位置決め構造および金属製遮蔽テールカバー上に形成された第２の位置決め構造に当接するように構成される。
【００２６】
本開示の別の一般概念によれば、絶縁体と、絶縁体内に保持された導電端子と、絶縁体の上に嵌合された金属製遮蔽ハウジングとを備えるコネクタが提供される。コネクタは、金属製遮蔽ハウジング内に収容されて絶縁体の上に嵌合されたばねをさらに備え、ばねの２つの端部はそれぞれ、金属製遮蔽ハウジングの内壁上に形成された第１の位置決め構造および絶縁体の外壁上に形成された第２の位置決め構造に当接するように構成される。
【００２７】
図１は、本開示の例示的な実施形態によるコネクタの概略斜視図を示す。図３は、絶縁体１００上の位置決め突起１１０が示されている、図１に示すコネクタの軸方向断面図を示す。図５は、図３に示す絶縁体１００の概略斜視図を示す。
【００２８】
図示の実施形態では、図１、図３、および図５に示すように、コネクタは主に、絶縁体１００と、導電端子（図示せず）と、金属製遮蔽ハウジング２００とを備える。導電端子は、絶縁体１００内に保持される。金属製遮蔽ハウジング２００は、絶縁体１００の上に嵌合される。
【００２９】
図４は、図３に示すばね４００の概略斜視図である。
【００３０】
本開示の一実施形態では、図１、３〜５に示すように、コネクタは、絶縁体１００の上に嵌合されたばね４００をさらに備え、ばね４００は、２つの端部を有し、２つの端部はそれぞれ、金属製遮蔽ハウジング２００の内壁上に形成された第１の位置決め構造および絶縁体１００の外壁上に形成された第２の位置決め構造に当接するように構成される。
【００３１】
図示の実施形態では、図３に示すように、ばね４００は、金属製遮蔽ハウジング２００に作用する外部からの軸方向の衝撃力を吸収し、絶縁体１００を損傷から実質上保護し、コネクタの防振性能を改善することが可能である。加えて、ばね４００はまた、電磁遮蔽として機能することができ、それによりコネクタの電磁遮蔽性能をさらに改善することができる。
【００３２】
図示の実施形態では、図３および図５に示すように、第１の位置決め構造は、金属製遮蔽ハウジング２００の内壁上に形成された位置決め段２１０として設けられ、第２の位置決め構造は、絶縁体１００の外壁上に形成された位置決め突起１１０として設けられ、ばね４００は、位置決め段２１０と位置決め突起１１０との間に位置するように適合される。
【００３３】
図示の実施形態では、図３および図５に示すように、ばね４００は、金属製遮蔽ハウジング２００内に収容されて、金属製遮蔽ハウジング２００に電気的に接触する。
【００３４】
図２は、金属製遮蔽テールカバー３００の前端面３００ａが示されている、図１に示すコネクタの軸方向断面図を示す。図６は、図２に示す金属製遮蔽テールカバー３００の概略斜視図である。
【００３５】
本開示の一実施形態では、前述のコネクタは、絶縁体１００の後端の上に嵌合されてばね４００に電気的に接触する金属製遮蔽テールカバー３００をさらに備える。金属製遮蔽テールカバー３００は、コネクタに電気的に接続された外部ワイアに対する電磁遮蔽を提供し、したがってコネクタの電磁遮蔽性能をさらに改善することが可能である。加えて、金属製遮蔽テールカバー３００は、ばね４００を介して金属製遮蔽ハウジング２００と電気的に連通することができ、したがって金属製遮蔽ハウジング２００、金属製遮蔽テールカバー３００、およびばね４００は、電磁遮蔽としてともに機能し、それによってコネクタの電磁遮蔽性能をさらに改善することができる。
【００３６】
図示の実施形態では、図５および図６にはっきりと示すように、位置決め突起１１０と一致する受けノッチ３０１が、金属製遮蔽テールカバー３００の前端に形成される。金属製遮蔽テールカバー３００が絶縁体１００の上に嵌合されたとき、位置決め突起１１０は、受けノッチ３０１内に受け取られる。
【００３７】
図示の実施形態では、図２に示すように、金属製遮蔽テールカバー３００が絶縁体１００の上に嵌合されたとき、ばね４００の一方の端部（図２で見て右側の端部）は、絶縁体１００の位置決め突起１１０および金属製遮蔽テールカバー３００の前端面３００ａに同時に当接し、ばね４００の他方の端部（図２で見て左側の端部）は、金属製遮蔽ハウジング２００の位置決め段２１０に当接する。したがって、ばね４００は、金属製遮蔽テールカバー３００を金属製遮蔽ハウジング２００に電気的に接続することができる。
【００３８】
本開示の一実施形態では、前述のコネクタは、計器、制御機器、および電気機器内で使用するための円筒形のコネクタを含むことができる。
【００３９】
図示の実施形態では、図１、図２、および図６に示すように、金属製遮蔽テールカバー３００は、金属製遮蔽テールカバー３００内へ密封材を注入する密封材注入孔３０２を有するようにさらに形成される。
【００４０】
本開示の別の実施形態では、前述のコネクタと、ワイアとを備えるコネクタアセンブリが提供される。ワイアの一方の端部は、コネクタの金属製遮蔽テールカバー３００を通過し、コネクタの導電端子に電気的に接続される。
【００４１】
図示の実施形態では、図１、図２、および図６に示すように、コネクタアセンブリは、金属製遮蔽テールカバー３００を絶縁体１００およびワイアに接合するように注入孔３０２から金属製遮蔽テールカバー３００内へ注入された密封材をさらに備える。
【００４２】
図示の実施形態では、位置決め突起１１０は、コネクタの絶縁体１００の外壁上に形成される。しかし、本開示は、図示の実施形態に限定されるものではない。たとえば、コネクタの絶縁体１００の外壁上に位置決め突起が形成されず、したがってばね４００の一方の端部（図の右側の端部）だけが、金属製遮蔽テールカバー３００の前端面３００ａに当接することができる。
【００４３】
図示の実施形態では、金属製遮蔽テールカバー３００は、コネクタの絶縁体１００の後端の上に嵌合される。しかし、本開示は、図示の実施形態に限定されるものではない。たとえば、コネクタは、金属製遮蔽テールカバー３００を含まなくてもよい。このとき、ばね４００の一方の端部（図の右側の端部）だけが、絶縁体１００の位置決め突起１１０に当接することができる。
【００４４】
本開示の上記の様々な例示的な実施形態では、金属製遮蔽ハウジング内に軸方向の緩衝ばねが設けられ、したがって金属製遮蔽ハウジングに作用する外部からの軸方向の衝撃力をこのばねによって吸収し、絶縁体を損傷から実質上保護し、コネクタの防振性能を改善することができる。加えて、ばねはまた、電磁遮蔽として機能することができ、それによりコネクタの電磁遮蔽性能をさらに改善することができる。
【００４５】
加えて、本開示のいくつかの例示的な実施形態では、絶縁体の後端の上に嵌合された金属製遮蔽テールカバーは、コネクタに電気的に接続された外部ワイアに対する電磁遮蔽を提供し、したがってコネクタの電磁遮蔽性能をさらに改善することができる。さらに、本開示のいくつかの例示的な実施形態では、金属製遮蔽テールカバーは、ばねを介して金属製遮蔽ハウジングと電気的に連通することができ、したがって金属製遮蔽ハウジング、金属製遮蔽テールカバー、およびばねは、電磁遮蔽としてともに機能し、それによってコネクタの電磁遮蔽性能をさらに改善することができる。
【００４６】
上記の実施形態は例示的であることが意図されることを、当業者には理解されたい。当業者であれば、上記の実施形態に多くの修正を加えることができ、異なる実施形態で説明した様々な特徴は、構成上または原理上矛盾することなく、互いに自由に組み合わせることができる。
【００４７】
本開示について、添付の図面を参照して説明したが、これらの図面に開示した実施形態は、本開示の好ましい実施形態の例示であることが意図され、本開示を限定すると解釈されるべきではない。
【００４８】
いくつかの例示的な実施形態について図示および説明したが、これらの実施形態では、本開示の原理および趣旨から逸脱することなく、様々な変更または修正を加えることができ、本開示の範囲は、特許請求の範囲およびその均等物に定義されることが、当業者には理解されよう。
【００４９】
本明細書で使用される「備える、含む（ｃｏｍｐｒｉｓｅｓ）」および／または「備える、含む（ｃｏｍｐｒｉｓｉｎｇ）」という用語は、他の要素またはステップを除外するものではなく、単数形の「ａ」、「ａｎ」、および「ｔｈｅ」は、複数形も同様に含むことが意図されることに留意されたい。加えて、特許請求の範囲内のあらゆる参照番号は、本開示の範囲を限定すると解釈されるべきではない。
【図１】
2018073820.tif 000003
【図２】
2018073820.tif 000004
【図３】
2018073820.tif 000005
【図４】
2018073820.tif 000006
【図５】
2018073820.tif 000007
【図６】
2018073820.tif 000008
【外国語明細書】
2018073820000001.pdf